(57)【要約】　　　（修正有）【課題】トライアルフレーム装用間隔で自覚式の検眼を行うことのできる自覚式検眼装置を提供する。【解決手段】一対の光学素子２５ａ、２５ｂを駆動する駆動機構２７が少なくとも設けられている自覚式検眼ユニット１３と、自覚式検眼ユニット１３をコントロールするコントローラ１２とを備え、自覚式検眼ユニット１３は、左眼用の検眼ユニット１３Ａと、右眼用の検眼ユニット１３Ｂと、被検者１４の瞳孔間距離ＰＤに応じて一対の検眼窓１３Ａ’、１３Ｂ’の間隔を調整するために左眼用検眼ユニット１３Ａと右眼用検眼ユニット１３Ｂとの左右方向の距離を調整可能に支持する支持体２８と、支持体２８に設けられて自覚式検眼ユニット１３を被検者１４の頭部に装用させる装用部材３３Ａ、３３Ｂと、支持体２８に設けられて被検者１４の目に対する位置関係を設定するための鼻当て部材３８とが設けられている。【選択図】　図２
2004089320.tif 000002
【特許請求の範囲】
【請求項１】
一対の光学素子からなりかつ該一対の光学素子を検眼窓の光軸に対して相対変位させることにより屈折特性を連続的に変化させるアルバレツレンズが内部に設けられると共に前記一対の光学素子を駆動する駆動機構が少なくとも設けられている自覚式検眼ユニットと、該自覚式検眼ユニットをコントロールするコントローラとを備え、
前記自覚式検眼ユニットは、左眼用の検眼ユニットと、右眼用の検眼ユニットと、被検者の瞳孔間距離に応じて一対の検眼窓の間隔を調整するために左眼用検眼ユニットと右眼用検眼ユニットとの左右方向の距離を調整可能に支持する支持体と、前記支持体に設けられて前記自覚式検眼ユニットを被検者の頭部に装用させる装用部材と、前記支持体に設けられて被検者の目に対する位置関係を設定するための鼻当て部材とが設けられていることを特徴とする自覚式検眼装置。
【請求項２】
前記装用部材が一対の耳掛け部材であることを特徴とする請求項１に記載の自覚式検眼装置。
【請求項３】
前記自覚式検眼ユニットは支持部に線条を介して吊り下げられ、該線条には自覚式検眼ユニットの重量を相殺するためのバランス用カウンターが設けられていることを特徴とする請求項１に記載の自覚式検眼装置。
【請求項４】
前記線条には、前記支持体を左右方向両端部で支持する弓状支持アームが設けられていることを特徴とする請求項３に記載の自覚式検眼装置。
【請求項５】
前記弓状支持アームと前記線条との間にスプリング部材が介在されていることを特徴とする請求項４に記載の自覚式検眼装置。
【請求項６】
前記弓状支持アームは前記支持体に固定・回動可能に設けられていることを特徴とする請求項５に記載の自覚式検眼装置。
【発明の詳細な説明】
【０００１】
【発明の属する技術分野】
本発明は、トライアルフレーム装用感覚で自覚式検眼を行うことのできる検眼装置に関するものである。
【０００２】
【従来の技術】
従来から、自覚式検眼装置には、レフラクター（自覚式検眼器）とコントローラとを有し、レフラクターを吊り下げて被検者の眼前に配置し、レフラクターに形成されている検眼窓を通して被検者に視標を提示し、視力検査を行う自覚式検眼装置が知られている。
【０００３】
レフラクターのケース内には、回転ディスク、この回転ディスクの駆動機構が設けられ、その回転ディスクには、円形開口が形成されて、この円形開口に例えば球面度数レンズ、乱視レンズ、レッドフィルタ等の各種の検査用光学素子が配設されている。
【０００４】
検者は、コントローラを操作し、検査手順に従って回転ディスクの駆動機構を制御して検眼窓に検査用光学素子をセットし、検者の質問に対する被検者の応答により一連の視力検査を行っている（特願２０００−３４６３０２号参照）。
【０００５】
【発明が解決しようとする課題】
しかしながら、この従来の自覚式検眼装置は、被検者がほんのちょっと姿勢を変えたり、顔をほんの少し動かしたりすると、検眼窓から目が離れるため、視標を見ることができず不便であり、また、この種の自覚式検眼装置のレフラクターは総じて大型であり、レフラクターが検者と被検者との間に介在して被検者の視界を遮るので、被検者は検者を見て会話をすることができず、コミュニュケーションをとりにくいという問題がある。
【０００６】
その一方、トライアルフレームを被検者に装用させて自覚式の視力検査を行う方法では、検者が専門的知識を必要とするため、検査の効率に支障をきたす。
【０００７】
本発明は、上記の事情に鑑みて為されたもので、その目的とするところは、トライアルフレーム装用感覚で検眼を行うことのできる自覚式検眼装置を提供することにある。
【０００８】
【課題を解決するための手段】
請求項１に記載の自覚式検眼装置は、一対の光学素子からなりかつ該一対の光学素子を検眼窓の光軸に対して相対変位させることにより屈折特性を連続的に変化させるアルバレツレンズが内部に設けられると共に前記一対の光学素子を駆動する駆動機構が少なくとも設けられている自覚式検眼ユニットと、該自覚式検眼ユニットをコントロールするコントローラとを備え、
前記自覚式検眼ユニットは、左眼用の検眼ユニットと、右眼用の検眼ユニットと、被検者の瞳孔間距離に応じて一対の検眼窓の間隔を調整するために左眼用検眼ユニットと右眼用検眼ユニットとの左右方向の距離を調整可能に支持する支持体と、前記支持体に設けられて前記自覚式検眼ユニットを被検者の頭部に装用させる装用部材と、前記支持体に設けられて被検者の目に対する位置関係を設定するための鼻当て部材とが設けられていることを特徴とする。
【０００９】
請求項２に記載の自覚式検眼装置は、前記装用部材が一対の耳掛け部材であることを特徴とする。
【００１０】
請求項３に記載の自覚式検眼装置は、前記自覚式検眼ユニットは支持部に線条を介して吊り下げられ、該線条には自覚式検眼ユニットの重量を相殺するためのバランス用カウンターが設けられていることを特徴とする。
【００１１】
請求項４に記載の自覚式検眼装置は、前記線条には、前記支持体を左右方向両端部で支持する弓状支持アームが設けられていることを特徴とする。
【００１２】
請求項５に記載の自覚式検眼装置は、前記弓状支持アームと前記線条との間にスプリング部材が介在されていることを特徴とする。
【００１３】
請求項６に記載の自覚式検眼装置は、前記弓状支持アームは前記支持体に固定・回動可能に設けられていることを特徴とする。
【００１４】
【発明の実施の形態】
図１は本発明に係わる自覚式検眼装置の概要図を示し、この図１において、１０は視標提示装置、１１は視標、１２はコントローラ、１３は自覚式検眼ユニット（レフラクターヘッド）、１４は被検者、１５は検者、１６は支柱部としての支柱である。
【００１５】
支柱１６にはアーム１７が設けられ、アーム１７には図２に拡大して示すようにプーリ１８〜２０が設けられている。そのアーム１７内には線条２１が設けられ、線条２１はその一端部２１ａがアーム１７に固定され、その線条２１はプーリ１８、２２、１９、２０に掛け渡されて、その線条２１の他端部２１ｂは支柱１６内に導かれ、その線条２１の他端部２１ｂには、バランス用カウンター２３が取り付けられている。そのプーリ２２にはスプリング部材２４が設けられている。
【００１６】
自覚式検眼ユニット１３は左眼用検眼ユニット１３Ａと右眼用検眼ユニット１３Ｂとを有する。左眼用検眼ユニット１３Ａ、右眼用検眼ユニット１３Ｂは検眼窓１３Ａ’、１３Ｂ’を有し、左眼用検眼ユニット１３Ａ、右眼用検眼ユニット１３Ｂには、図３に示すアルバレツレンズ２５、Ｖｃｃレンズ２６が検眼窓１３Ａ’、１３Ｂ’の光軸Ｏ上に同軸に配設されている。
【００１７】
そのアルバレツレンズ２５は２枚一対の透明な光学素子（例えば、位相板）２５ａ、２５ｂから構成され、これらの重ね合わせ面の表面形状は、
Ｘ＝Ａ｛（１／３）ｙ３＋ｙｚ２｝で表される３次元曲面により形成されている。
【００１８】
この２枚の光学素子２５ａ、２５ｂを光軸Ｏと直交する面内で上下方向に相対変位させることにより、両光学素子２５ａ、２５ｂを光学的に合成して得られる屈折力を連続的に変化させることができる。
【００１９】
そのＶｃｃレンズ２６は２枚のシリンドリカルレンズ２６ａ、２６ｂにより構成され、このシリンドリカルレンズ２６ａ、２６ｂを光軸Ｏ回りに回転させることにより円柱度数Ｃ、円柱軸角度Ａが変化する。
【００２０】
左眼用検眼ユニット１３Ａ、右眼用検眼ユニット１３Ｂの内部には、光学素子２５ａ、２５ｂを上下方向に相対変位させると共に左右方向に相対変位させる変位駆動機構２７が設けられ、この変位機構２７は、例えば、ラック・ピニオン、駆動モータ、制御回路からなっている。なお、この図３には、左右方向に光学素子２５ａ、２５ｂを相対変位させる変位駆動機構は図示が略されている。
【００２１】
また、同様に、シリンドリカルレンズ２６ａ、２６ｂを回転駆動する回転駆動機構（図示を略す）が設けられている。これらの変位機構２７はコントローラ１２により制御され、コントローラ１２と自覚式検眼ユニット１３とは電気的結線により接続されている。
【００２２】
アルバレツレンズ２５は上下方向に光学素子２５ａ、２５ｂが相対変位すると、その球面度数が変化し、左右方向に光学素子２５ａ、２５ｂが相対変位すると、その乱視度数が変化する。左眼用検眼ユニット１３Ａと右眼用検眼ユニット１３Ｂとはコ字形状の支持体としての保持枠部材２８に保持されている。
【００２３】
その保持枠部材２８は側板部２８Ａ、２８Ｂと上板部２８Ｃとを有する。上板部２８Ｃの下面側には側板部２８Ａから側板部２８Ｂに向かって延びるガイド溝（図示略）が形成されている。
【００２４】
左眼用検眼ユニット１３Ａと右眼用検眼ユニット１３Ｂとには、そのガイド溝に係合する係合部（図示略）が形成されている。側板部２８Ａには左眼用検眼ユニット１３Ａをガイド溝に沿って可動させるための可動調整摘み部材２９Ａが設けられ、側板部２８Ｂには右眼用検眼ユニット１３Ｂをガイド溝に沿って可動させるための可動調整摘み部材２９Ｂが設けられ、左眼用検眼ユニット１３Ａと右眼用検眼ユニット１３Ｂとはその可動調整摘み部材２９Ａ、２９Ｂを調整することにより、そのガイド溝に沿って離反接近する方向に可動され、これにより、被検者１４の瞳孔間距離ＰＤが調整される。
【００２５】
その側板部２８Ａ、２８Ｂには弧状支持アーム３０が自覚式検眼ユニット１３の支軸３１を支点にして回動可能に掛け渡されている。自覚式検眼ユニット１３はこの弧状支持アーム３０に対して支軸３１を支点にして前後方向に回動可能とされている。その弧状支持アーム３０の頂部には、コイルスプリング２４が係止されている。ここでは、弧状支持アーム３０を保持枠部材２８に対して回動可能に構成したが、弧状支持アーム３０を保持枠部材２８に固定の構成とすることもできる。
【００２６】
側板部２８Ａ、２８Ｂにはガイド板３２Ａ、３２Ｂが図４〜図６に示すようにそれぞれ設けられている。そのガイド板３２Ａ、３２Ｂの延びる方向に沿ってスライド可能に装用部材としての耳掛け部材３３Ａ、３３Ｂがそれぞれ設けられている。そのガイド板３２Ａ、３２Ｂには押さえネジ３４に螺合するネジ穴３２Ｃが設けられている。耳掛け部材３３Ａ、３３Ｂにはスライド方向に長く延びる長穴３３Ｃが設けられている。また、ガイド板３２Ａ、３２Ｂには傾き角度規制突起３２Ｄが設けられ、耳掛け部材３３Ａ、３３Ｂにはその傾き角度規制突起３２Ｄに係合する係合片部３３Ｄが形成されている。
【００２７】
耳掛け部材３３Ａ、３３Ｂの長さを調節するとき、その傾き角度を調整するときには、その押さえネジ３４を緩めてスライド方向に長さ調整し、フィットした箇所で押さえネジ３４を締め付ければ、耳掛け部材３３Ａ、３３Ｂの長さ、傾き角度が固定される。
【００２８】
その耳掛け部材３３Ａ、３３Ｂの後端部には、装着ベルト３５が設けられている。その装着ベルト３５は、図７に示すように、バックル機構３６により、被検者１４の頭部１４Ａへの締め付け力を調整可能である。また、装着ベルト３５の先端部分を係止するための係止部材３７（例えば、マジックテープ（登録商標））も設けられている。
【００２９】
上板部２８Ｃにはその左右方向中央部に、鼻当て部材３８が設けられている。その鼻当て部材３８は調整機構３９により鼻にフィットするように調整される。その調整機構３９は、図８に示すように、調整摘み部材３９Ａと調整ロッド３９Ｂと付勢スプリング３９Ｃと揺動機構３９Ｄとから大略構成されている。調整ロッド３９Ｂは上部から下部に向けて上板部２８Ｃを斜めに貫通するようにして上板部２８Ｃに設けられている。調整ロッド３９Ｂの先端には揺動機構を構成する一対のブラケット３９Ｅが設けられ、この一対のブラケット３９Ｅに回動軸３９Ｆが掛け渡され、鼻当て部材３８はその回動軸３９Ｆを支点に回動可能に回動軸３９Ｆに支持されている。
【００３０】
調整摘み部材３９Ａは調整ロッド３９Ｂの後端に設けられている。調整摘み部材３９Ａにはネジ穴３９Ｇが設けられ、調整ロッド３９Ｂの外周にはネジが設けられている。付勢スプリング３９Ｃは上板部２８Ｃの下部とブラケット３９Ｅとの間に配設されて、鼻への押圧力を調整している。
【００３１】
また、その上板部２８Ｃには額当て４０が図９に示すように設けられている。その額当て４０は額当て調整機構４１によって被検者１４の額にフィットするように調整される。その調整機構４１は調整摘み部材４１Ａと調整ロッド４１Ｂと付勢スプリング４１Ｃと揺動機構４１Ｄとから大略構成されている。その調整ロッド４１Ｂは、一対設けられて上板部２８Ｃを前後方向に貫通している。調整ロッド４１Ｂの先端には揺動機構を構成する一対のブラケット４１Ｅが設けられ、この一対のブラケット４１Ｅに回動軸４１Ｆが掛け渡され、額当て４０はその回動軸４１Ｆを支点に回動可能に回動軸４１Ｆに支持されている。調整摘み部材４１Ａは調整ロッド４１Ｂの後端に設けられ、その調整摘み部材４１Ａにはネジ穴４１Ｇが設けられ、調整ロッド４１Ｂにはその外周にネジが形成されている。付勢スプリング４１Ｃは上板部２８Ｃとブラケット４１Ｅとの間に介装されて、額への額当ての押圧力を調整している。
【００３２】
このものによれば、自覚式検眼ユニット１３の重量がバランスカウンター２３により相殺されて吊り下げられているので、被検者４１が自覚式検眼ユニット１３を装用して首を左右に振ったときでも、自覚式検眼ユニット１３の重さをほとんど感じることなく、首を左右に振ることができる。また、同様に、首を上下に振ったときでも、自覚式検眼ユニット１３を被検者１４の首振りの運動に追従させることができる。
【００３３】
以上実施例について説明したが、本発明はこれに限られるものではなく、例えば、以下の変形例を含むものである。
（変形例１）
この変形例１は、図１０に示すように、支柱１６に上下方向に調整可能の弧状アーム部材４２を設け、この弧状アーム部材４２の先端部に垂直方向に回動可能に吊り下げアーム４３を設け、吊り下げアーム４３の下端に左右方向に回動可能に自覚式検眼ユニット１３を設け、この自覚式検眼ユニット１３の重量を相殺するバランスカウンター２３を弧状アーム部材４２の後端に設ける構成としたものである。
（変形例２）
この変形例２は、図１１に示すように、支柱１６のアーム１７に回動軸４３を設け、この回動軸４３に水平方向に回動する第１アーム４４を設け、この第１アーム４４に第２アーム４５を垂直方向に回動可能に設け、この第２アーム４５に前後方向に回動可能に第３アーム４６を設け、この第３アーム４６の水平方向回動軸４７に自覚式検眼ユニット１３を設け、第２アーム４５の先端をコイルバネ式ワイヤー４８で第１アーム４４に吊り下げることにしたものである。この変形例２の場合には、コイルバネ式ワイヤ４８がバランスカウンター２３として機能する。
【００３４】
以上、発明の実施の形態においては、装用部材として一対の耳掛け部材３３Ａ、３３Ｂを用いることにしたが、これに加えて、顎ひもを自覚式検眼ユニット１３に設け、顎ひもを顎に引っかける構成としてもよい。
【００３５】
【発明の効果】
本発明は、以上説明したように構成したので、トライアルフレーム装用間隔で自覚式の検眼を行うことができる。
【００３６】
特に、アルバレッツレンズを用い、球面度数と、乱視度数とを測定できるようにしたので、その球面度数、乱視度数の駆動機構の軽量化、コンパクト化、小型化を図ることができ、被検者が自覚式検眼ユニットを装用して測定を受ける場合に、その被検者に負担をかける割合を減少できるので、好ましい。
【図面の簡単な説明】
【図１】本発明に係わる自覚式検眼装置の概要図である。
【図２】本発明に係わる自覚式検眼装置の要部を拡大して示す斜視図である。
【図３】図２に示す検眼ユニットの内部構造の一例を示す光学図である。
【図４】装用部材としての耳掛け部材の一例を示す部分断面図である。
【図５】図４に示す耳掛け部材の部分側面図である。
【図６】図４に示す耳掛け部材緊締部分の縦断面図である。
【図７】図２に示す自覚式検眼装置を背面側から見た斜視図である。
【図８】図２に示す鼻当て部材の調整機構の一例を示す部分断面図である。
【図９】図２に示す額当て調整機構の一例を示す部分断面図である。
【図１０】本発明に係わる自覚式検眼装置の変形例を示す斜視図である。
【図１１】本発明に係わる自覚式検眼装置の他の変形例を示す斜視図である。
【符号の説明】
１２…コントローラ
１３…　自覚式検眼ユニット
１３Ａ、１３Ｂ…検眼ユニット
１３Ａ’、１３Ｂ’…検眼窓
２５…アルバレツレンズ
２５ａ、２５ｂ…光学素子
２７…駆動機構
２８…支持体
３３Ａ、３３Ｂ…装用部材
３８…鼻当て部材
Ｏ…光軸
【図１】
2004089320.tif 000003
【図２】
2004089320.tif 000004
【図３】
2004089320.tif 000005
【図４】
2004089320.tif 000006
【図５】
2004089320.tif 000007
【図６】
2004089320.tif 000008
【図７】
2004089320.tif 000009
【図８】
2004089320.tif 000010
【図９】
2004089320.tif 000011
【図１０】
2004089320.tif 000012
【図１１】
2004089320.tif 000013